(57)【特許請求の範囲】
【請求項１】
骨組体及び該骨組体に張り付けて固定された金網からなり、
前記骨組体が、地盤上に並列状に立設される複数個の支柱枠杆及び該複数個の支柱枠杆間に横架される単又は複数個の横架杆を備え、
前記支柱枠杆の上部の少なくとも外側となる側を中央に向かって徐々に高くなる傾斜形状にしたことを特徴とする害獣侵入防止用構造体。
【請求項２】
前記骨組体が、複数個の前記支柱枠杆の上部どうしを前記横架杆で連結して構成されている請求項１に記載の害獣侵入防止用構造体。
【請求項３】
前記骨組体が、複数個の前記支柱枠杆の脚部どうしを前記横架杆で連結して構成されている請求項１または２に記載の害獣侵入防止用構造体。
【請求項４】
前記支柱枠杆の前後の脚部どうしを連結する補強杆をさらに備える請求項１〜３のいずれか１項に記載の害獣侵入防止用構造体。
【請求項５】
平面状の柵部より構成され、前記金網上に前記横架杆に対して平行に立設される柵体をさらに組み合わせてなる請求項１〜４のいずれか１項に記載の害獣侵入防止用構造体。
【請求項６】
さらに忍び返しを前記金網上または横架杆に設けた請求項１〜５のいずれか１項に記載の害獣侵入防止用構造体。
【請求項７】
前記害獣がシカまたはイノシシである請求項１〜６のいずれか１項に記載の害獣侵入防止用構造体。
【請求項８】
請求項１〜７のいずれか１項に記載の害獣侵入防止用構造体を、害獣の侵入を防止する土地の周囲に設置することを特徴とする害獣侵入防止方法。
【請求項９】
前記害獣侵入防止用構造体の内部に害獣の侵入を防止できる忌避植物を植生する請求項８に記載の害獣侵入防止方法。
【発明の詳細な説明】
【技術分野】
【０００１】
本発明は、害獣侵入防止用構造体および害獣侵入防止方法に関する。詳しくは、シカ、イノシシなどの動物が農作物、山林、法面、斜面などに侵入することで生じる被害を防ぐための害獣侵入防止用構造体および害獣侵入防止方法に関する。
【背景技術】
【０００２】
近年、田畑に植えられた作物、山林に植えられた果物、タケノコなどの食用作物が、侵入してきたシカやイノシシによって食害される問題が拡大してきている。また、高速道路や国道の両側は法面となっていたり、田畑の周囲の道や山道では、道の側面が斜面になっており、これらの法面や斜面を維持するために植物が植生されていたりするケースが多いが、植生されている植物もシカやイノシシによって食害される問題が拡大している。植物が食害されて地面が露出すると、雨などによって地盤が浸食されて法面や斜面が崩れることもある。したがって、シカやイノシシのような害獣の侵入を防止する手段が求められている。
【０００３】
田畑、山林、法面や斜面への害獣の侵入を防止する手段としては、目的の土地の周囲に防止柵を設けることが一般的である。様々な種類の防止柵が国や地方公共団体からもマニュアルが提案されている。しかしながら、防止柵は、設置が比較的容易であるものの、害獣のうち、シカやイノシシのような大型の動物が防止柵に接触すると防止柵が変形したり、破損したりする可能性がある。また、法面や斜面のような場所では、防止柵を設けても、法面や斜面の上側から飛び越えて侵入する可能性もある。
【０００４】
そこで、獣害防止効果の大きい獣害防御具として、棒状且つ円弧状に形成した複数個の枠部材と、この枠部材の両端を地面に突き刺して前記枠部材を地面に立設した上に展設するネットと、このネットの縁部を地面に固定する複数個の止め具とよりなる獣害防御具が提案されている（特許文献１）。この獣害防御具では、ネットを曲面状または斜面状に展設することにより、ネットを忌避する獣の性質を利用して獣害を防御しており、また、獣がネットを乗り越えようとした場合には、ネットが足に絡みつき乗り越えを困難にしている（特許文献１の段落［０００７］参照。）。
しかしながら、前記害獣防御具は、ネットが枠部材の表面に固定されておらず、複数の枠部材どうしもそれぞれ独立して立設されているため、枠部材間のネットに獣が強く接触すると、ネットが獣に絡みつくことで獣害防御具が破損し、この破損した箇所から別の獣が侵入して獣害が発生する可能性がある。この場合、補修は可能であるものの、獣害防御具が破損していないかを定期的に見回ることが必要となるなど、メンテナンスにも注力する必要がある。
【０００５】
また、特許文献２の図３に記載のような防獣ネット柵１も提案されている。この防獣ネット柵１は、特許文献１と同様に、ネット編地２が一部において地面４より浮いた状態にあるので、害獣の脚足を確実に拘束でき、防獣機能が優れているとされている（特許文献２の段落［００２０］参照。）。
しかしながら、前記防獣ネット柵１は、地面４に対して水平な支柱１１の外面にネット編地２が張られてはいが、固定はされておらず、ネット編地２が張られている立設した支柱１１どうしも固定されていないため、水平な支柱１１に獣が強く接触すると、ネットが絡みつくことで防獣ネット柵が破損し、この破損した箇所から別の獣が侵入して獣害が発生する可能性がある。この場合、補修は可能であるものの、防獣ネット柵１が破損していないかを定期的な見回りが必要となるなど、メンテナンスにも注力する必要がある。
【０００６】
害獣は１匹でも侵入すると、侵入した地域に深刻な被害を発生させることが知られている。一方で、もともと、田畑、山林、法面、斜面などは、市街地の家屋とは異なり、侵入を防ぐ必要がある面積が極めて大きく、地盤が水平となっていないケースが大半で、コスト等の面から、塀や壁などのように獣の侵入を確実に防止できる手段を採用し難いという問題がある。したがって、田畑、山林、法面、斜面などにおいても、設置が可能で、かつ害獣の侵入をより効率的に防ぐための新たな手段が求められていた。
【先行技術文献】
【特許文献】
【０００７】
【特許文献１】特開平９−１３８号公報
【特許文献２】特開２０１１−１５２０６０号公報
【発明の概要】
【発明が解決しようとする課題】
【０００８】
上記のような事情に鑑み、本発明の目的は、田畑、山林、法面、斜面などに設置でき、かつこれらの土地へのシカやイノシシなどの大型の害獣の侵入を長期間防止できる害獣侵入防止用構造体および前記害獣侵入防止用構造体を用いた害獣侵入防止方法を提供することにある。
【課題を解決するための手段】
【０００９】
即ち、本発明の要旨は以下の通りである。
〔１〕骨組体及び該骨組体に張り付けて固定された金網からなり、
前記骨組体が、地盤上に並列状に立設される複数個の支柱枠杆及び該複数個の支柱枠杆間に横架される単又は複数個の横架杆を備えることを特徴とする害獣侵入防止用構造体。
〔２〕前記骨組体が、複数個の前記支柱枠杆の上部どうしを前記横架杆で連結して構成されている前記〔１〕に記載の害獣侵入防止用構造体。
〔３〕前記骨組体が、複数個の前記支柱枠杆の脚部どうしを前記横架杆で連結して構成されている前記〔１〕または〔２〕に記載の害獣侵入防止用構造体。
〔４〕前記支柱枠杆の上部の少なくとも外側となる側を中央に向かって徐々に高くなる傾斜形状にした前記〔１〕〜〔３〕のいずれかに記載の害獣侵入防止用構造体。
〔５〕前記支柱枠杆の前後の脚部どうしを連結する補強杆をさらに備える前記〔１〕〜〔４〕のいずれかに記載の害獣侵入防止用構造体。
〔６〕平面状の柵部より構成され、前記金網上に前記横架杆に対して平行に立設される柵体をさらに組み合わせてなる前記〔１〕〜〔５〕のいずれかに記載の害獣侵入防止用構造体。
〔７〕さらに忍び返しを前記金網上または横架杆に設けた前記〔１〕〜〔６〕のいずれかに記載の害獣侵入防止用構造体。
〔８〕前記害獣がシカまたはイノシシである前記〔１〕〜〔７〕のいずれかに記載の害獣侵入防止用構造体。
〔９〕前記〔１〕〜〔８〕のいずれかに記載の害獣侵入防止用構造体を、害獣の侵入を防止する土地の周囲に設置することを特徴とする害獣侵入防止方法。
〔１０〕前記害獣侵入防止用構造体の内部に害獣の侵入を防止できる忌避植物を植生する前記〔９〕に記載の害獣侵入防止方法。
【発明の効果】
【００１０】
本発明の害獣侵入防止用構造体は、骨組体及び該骨組体に張り付けて固定された金網からなり、前記骨組体が、地盤上に並列状に立設される複数個の支柱枠杆及び該複数個の支柱枠杆間に横架される単又は複数個の横架杆を設けていることで、高さと幅のある構造体となっているため、公知の害獣防止柵と比べると、例えば、シカのように跳躍して侵入を図る害獣や、イノシシのように地面を掘り起して侵入を図る害獣に対しても、侵入を困難にしている。また、前記のような骨組体を採用していることで、法面や斜面のような傾斜地でも、長期間、強度を維持しながら設置することができる。また、前記骨組体の表面に金網を張り付けていることで、例えば、シカやイノシシなどが害獣侵入防止用構造体に接触した場合でも、構造体の形状が維持でき破損しにくくなっている。
【００１１】
前記骨組体は、複数個の前記支柱枠杆の上部どうしを前記横架杆で連結して構成されていることで、金網が張りやすく、支柱枠杆どうしの立設状態を安定に維持しやすい。
【００１２】
前記骨組体は、複数個の前記支柱枠杆の脚部どうしを前記横架杆で連結して構成されていることで、害獣が接触し易い害獣侵入防止用構造体の側面の強度を高めることができる。
【００１３】
前記支柱枠杆の上部の少なくとも外側となる側を中央に向かって徐々に高くなる傾斜形状にすることで、害獣が害獣侵入防止用構造体を外側から見た場合に、支柱枠杆の脚部による高さに加えて、支柱枠杆の上部の傾斜形状により害獣侵入防止用構造体の高さに奥行きがあることをより強調することができるために、シカのように跳躍力に優れた害獣であっても飛び越える衝動をより強く抑える効果が期待できる。
【００１４】
前記支柱枠杆の前後の脚部どうしを連結する補強杆をさらに備えることで、支柱枠杆の立設した状態をより強く保持することができる。
【００１５】
また、平面状の柵部より構成され、前記金網上に前記横架杆に対して平行に立設される柵体をさらに組み合わせることで、害獣が害獣侵入防止用構造体を跳躍して乗り越えることを防止することができる。
【００１６】
前記金網上または横架杆に忍び返しを設けることで、害獣が前記害獣侵入防止用構造体を飛び越える衝動をより強く抑える効果をより高めることができる。
【００１７】
本発明の害獣侵入防止用構造体は、シカまたはイノシシの大型の害獣に対して特に有効である。
【００１８】
以上のように本発明の害獣侵入防止用構造体を、田畑、山林、法面、斜面などの周囲、特に法面や斜面などのように平地に比べて施工に労力を必要とする場所に設置することで、害獣の侵入を効率よく防止することができ、しかも前記害獣侵入防止用構造体は従来のネット柵に比べて強度が高いため、長期間の害獣の侵入を防止でき、また、害獣が接触しても形状が維持でき破損しにくくなっているため、害獣侵入防止用構造体を設置した現場を定期的に見回る労力も顕著に軽減することができる。
また、前記害獣侵入防止用構造体の内部に害獣の侵入を防止できる忌避植物を植生することで、害獣の侵入をより防止することができる。
【図面の簡単な説明】
【００１９】
【図１】本発明の害獣侵入防止用構造体１の一例を示す概略説明図である。
【図２】図１に示す害獣侵入防止用構造体１を構成する骨組体２の概略説明図である。
【図３】図１に示す害獣侵入防止用構造体１の支柱枠杆４側から見た正面図である。
【図４】図２に示す骨組体２を構成する支柱枠杆４の脚部４ａおよび上部４ｂ付近の拡大図である。
【図５】別の態様の害獣侵入防止用構造体１ａの一例を示す概略説明図である。
【図６】図５に示す害獣侵入防止用構造体１ａを構成する骨組体２の概略説明図である。
【図７】図５に示す骨組体２を構成する支柱枠杆４の脚部４ａ付近の拡大図である。
【図８】図５に示す害獣侵入防止用構造体１ａの支柱枠杆４側から見た正面図である。
【図９】別の態様の害獣侵入防止用構造体１ｂの一例を示す概略説明図である。
【図１０】別の態様の害獣侵入防止用構造体１ｃの一例を示す概略説明図である。
【図１１】別の態様の害獣侵入防止用構造体１ｄの一例を示す概略説明図である。
【図１２】別の態様の害獣侵入防止用構造体１ｅの一例を示す概略説明図である。
【図１３】忌避植物２２を害獣侵入防止用構造体１ｂに植生し、前記忌避植物２２が生長した状態の一例を示す概略説明図である。
【図１４】実施例１において、法面に設置した害獣侵入防止用構造体１とその周囲を示す写真像である。
【図１５】図１４に示す法面の設置から約２か月後の害獣侵入防止用構造体１とその周囲を示す写真像である。
【発明を実施するための形態】
【００２０】
以下、本発明の実施の形態について説明する。
【００２１】
本発明の害獣侵入防止用構造体１は、図１に示すように、骨組体２及び該骨組体２に張り付けて固定された金網３からなる。このように骨組体２と金網３とが固定されていることで、害獣侵入防止用構造体１の強度を向上することができる。また、一般の防止柵では、例えば、前記特許文献１、２のように樹脂製のネットが使用されているが、このネットにシカなどの大型害獣が接触するとネットに害獣の手足が絡まり、その状態で害獣が暴れると防止柵自体が破損してしまう。そして別の害獣が破損部分から侵入する場合がある。これに対して、本発明の害獣侵入防止用構造体１では、金網３が前記骨組体２に張り付けて固定されていることで、シカやイノシシなどの大型の害獣が金網３に接触しても害獣が金網３への絡みつくことがなく、また強度が高くなるため、害獣侵入防止用構造体１の破損を防止することができる。
【００２２】
前記骨組体２は、図２に示すように、地盤Ｇ上に並列状に立設される複数個の支柱枠杆４（４’、４’’）及び該複数個の支柱枠杆４（４’、４’’）間に横架される単又は複数個の横架杆５を備える。このように、支柱枠杆４に横架杆５を組み合わせることで、例えば、立設されている支柱枠杆４の転倒を防止することができる。
【００２３】
前記支柱枠杆４は、図２、３に示すように、地盤Ｇ上に立設される脚部４ａおよび前記脚部４ａの上端部に接続される上部４ｂから構成されている。
このように地盤Ｇ上に立設した脚部４ａおよび上部４ｂの高さにより、害獣が害獣侵入防止用構造体１の外側から内側へ飛び越えて侵入することを防止する効果がある。なお、前記脚部４ａおよび上部４ｂとは一体の部材から構成されていてもよいし、別の部材から構成されて組立可能に接続されていてもよい。
【００２４】
前記支柱枠杆４の形状としては、前記地盤Ｇ上に立設可能な形状ものであればよく、特に限定はない。例えば、前記脚部４ａの上端部どうしが線状の上部４ｂで連結されていてもよい。
中でも、前記支柱枠杆４の上部４ｂの少なくとも外側となる側を中央に向かって徐々に高くなる傾斜形状にしていることが好ましい。ここで、外側となる側とは、害獣侵入防止用構造体１を設置した場合に、害獣が存在する側の土地の方をいう。また、中央とは、前記支柱枠杆４の２本の脚部４ａで挟まれた間の中央をいう。このように外側となる側から中央に向かって前記支柱枠杆４の上部４ｂを傾斜形状にすることで、害獣の侵入をより効率的に抑えることができる。すなわち害獣は、障害物がある場合、障害物の付近まで接近してその高さを観察し、その後、跳躍などを行うことが知られている。これに対して、前記のような傾斜形状を有する支柱枠杆４を用いていると、本発明の害獣侵入防止用構造体１の外側から見た場合、脚部４ａによる高さに加えて、上部４ａの傾斜形状により害獣侵入防止用構造体１の高さに奥行きがあることをより強調することができるために、シカのように跳躍力に優れた害獣であっても飛び越える衝動をより強く抑える効果が期待できる。
前記傾斜形状としては、例えば、図１〜３に示すように、前記上部４ｂの全体の形状が略山形状になっていることが挙げられる。前記略山形状の頂点部分は図１〜３に示すように直線状であってもよいし、凸形状であってもよいし、アール形状でもよい。
【００２５】
前記支柱枠杆４の脚部４ａは地盤Ｇに対して垂直に立設されていてもよいし、支柱枠杆４の中央に向かって傾斜して立設されていてもよい。前記脚部４ａが傾斜して立設されている場合、設置角度については、立設状態での強度が低下しなければよく、特に限定はない。前記脚部４ａの下端部は、地盤Ｇの表面が略平面状であれば地盤Ｇの表面に接触していればよいが、地盤Ｇに埋め込むことで斜面や法面のような場所でも所望の位置への設置を容易にできる。また、鋼線、木製杭などの打ち込み部材を脚部４ａ近傍の地盤Ｇに打ち込み、その打ち込み部材と脚部４ａとを固定してもよい。
【００２６】
前記支柱枠杆４の材質としては、鉄、炭素鋼、合金鋼（ステンレス鋼など）などの鋼材が挙げられ、耐候性の観点から、ステンレス鋼が好ましい。
また、前記支柱枠杆４の形状としては、板状、管状、線状などが挙げられ、強度が高く、設置もしやすい観点から、管状であることが好ましい。
【００２７】
本発明の害獣侵入防止用構造体１では、図３に示すように、地盤Ｇ上に立設されている害獣侵入防止用構造体１の最大の高さＨ（地盤Ｇの表面から金網３表面までの最大の高さ）が、害獣の侵入を防止する効果が高い観点から、０．７ｍ以上、好ましくは０．９ｍ以上、より好ましくは１ｍ以上に調整されていることが望ましく、また、設置がしやすく、コストも抑えることができる観点から、４ｍ以下、好ましくは３ｍ以下、より好ましくは２ｍ以下に調整されていることが望ましい。
【００２８】
また、本発明の害獣侵入防止用構造体１では、図３に示すように、地盤Ｇ上に立設されている支柱枠杆４の脚部４ａどうしの間の最大の長さＷ（脚部４ａの外側どうしの長さ）が、害獣の侵入を防止する効果が高い観点から、０．７ｍ以上、好ましくは０．９ｍ以上、より好ましくは１ｍ以上に調整されていることが望ましく、また、設置がしやすく、コストも抑えることができる観点から、４ｍ以下、好ましくは３ｍ以下、より好ましくは２ｍ以下に調整されていることが望ましい。
【００２９】
前記複数個の前記支柱枠杆４どうしは、単又は複数個の横架杆５で固定される。このように前記支柱枠杆４どうしが横架杆５で固定されることで、本発明の害獣侵入防止用構造体１の強度を高くすることができ、例えば、害獣が支柱枠杆４側や横架杆５側から接触した場合でも、害獣侵入防止用構造体１が破損することを防ぐことができる。これに対して、一般的な害獣用の侵入防止柵では高さがあるものの、害獣が接触すると柵を支える柵自体の強度は高くないために破損しやすい。
【００３０】
前記横架杆５の材質としては、鉄、炭素鋼、合金鋼（ステンレス鋼など）などの鋼材が挙げられ、耐候性の観点から、ステンレス鋼が好ましい。
また、前記横架杆５の形状としては、板状、管状、線状などが挙げられ、強度が高く、設置もしやすい観点から、管状であることが好ましい。
【００３１】
前記支柱枠杆４に横架杆５を固定する手段としては、特に限定はなく、ワイヤーや鋼線で結索してもよいが、害獣侵入防止用構造体１を設置し易く、その強度を保ち易い観点から、固定具８を用いることが好ましい。固定具８としては、ボルト、ナット、ビスなどのネジが挙げられるが特に限定はない。
【００３２】
前記支柱枠杆４どうしを固定する横架杆５の数としては、数が多いほど害獣侵入防止用構造体１の強度を増加することができるが、特に限定はなく、１個でもよいし、複数個でもよい。また、支柱枠杆４どうしを固定する横架杆５の数は、図２に示すように、立設する支柱枠杆４、４’、４’’が順番に立設している場合、これらの支柱枠杆どうしの間で一定であってもよいし、例えば、支柱枠杆４、４’の間を固定する横架杆５が１本、支柱枠杆４’、４’’の間を固定する横架杆５が３本のように数を変更していてもよい。
【００３３】
また、前記支柱枠杆４どうしを固定する横架杆５の固定位置としては、特に限定はないが、金網３が張りやすく、支柱枠杆４どうしの立設状態を安定に維持しやすい観点から、複数個の前記支柱枠杆４の上部４ｂどうしを前記横架杆５で連結していることが好ましい。例えば、図２に示す骨組体２では、支柱枠杆４の上部４ｂどうしが３本の横架杆５で固定されている。
【００３４】
また、害獣が接触した場合にも害獣侵入防止用構造体１が破損しにくくなる観点から、複数個の前記支柱枠杆４の脚部４ａどうしを前記横架杆５で連結することが好ましい。前記横架杆５を連結する脚部４ａの位置としては、例えば、図２に示すように下側部でもよいし、図６に示すように上側部でもよいし、下側部と上側部の両方でもよい。
【００３５】
中でも、前記支柱枠杆４の下部に固定された横架杆５は、地盤Ｇ近くに配置することで、設置時に支柱枠杆４を立設する作業が行い易く、また、前記横架杆５を地面に別の固定具で固定することで、斜面や法面でも支柱枠杆を倒さずに立設することができる。
【００３６】
また、前記支柱枠杆４には、図３、４に示すように、下部に接続される横架杆５の接続位置を調節可能な調節部６が設けられていてもよい。本発明の害獣侵入防止用構造体１を設置する地盤Ｇの表面には凹凸があることが一般的であるが、地盤Ｇの凹凸が大きな場合、横架杆５を支柱枠杆４の脚部４ａの下方に接続する位置が予め固定されていると、横架杆５が地盤Ｇの表面に接触し、支柱枠杆４の脚部４ａの下端面が地盤Ｇから浮いてしまって害獣侵入防止用構造体１を地盤Ｇ上に適切に設置できないことがある。これに対して、前記調節部６を設けることにより、地盤Ｇの表面の凹凸に関わらずに地盤Ｇ上に立設した前記支柱枠杆４どうしを前記横架杆５で固定することができる。
【００３７】
前記調節部６は、例えば、前記支柱枠杆４の下部に高さ方向に間隔をあけて設けられる複数の孔７と、前記孔７を用いて横架杆５を固定する固定具８とよりなる。このような構成とすることで、孔７の位置応じて横架杆５の固定位置を変えることができ、かつ孔７と固定具８とを用いることで確りと前記支柱枠杆４と横架杆５とを固定することができる。前記固定具８としては、ボルト、ナット、ビスなどのネジが挙げられるが特に限定はない。
【００３８】
また、前記支柱枠杆４の左右の脚部４ａどうしを連結する補強杆９をさらに備えてもよい。このような補強杆９を備えることで、支柱枠杆４の立設した状態をより強く保持することができる。
前記補強杆９を連結する脚部４ａの位置としては、特に限定はない。また、その連結手段としては、支柱枠杆４の脚部４ａに補強稈９を溶接してもよいし、固定具を用いて固定してもよい。
前記補強杆９の材質としては、鉄、炭素鋼、合金鋼（ステンレス鋼など）などの鋼材が挙げられ、耐候性の観点から、ステンレス鋼が好ましい。
また、前記補強杆９の形状としては、板状、管状、線状が挙げられ、強度が高く、軽量で組立や設置がしやすい観点から、管状であることが好ましい。
【００３９】
前記骨組体２の表面には金網３が張り付けて固定される。
前記金網３は、金属の線材を編み込んだ網状の金属製品であればよい。金網３を構成する金属の材質、線材の直径、網目の大きさ、網の形状については特に限定はない。
【００４０】
前記金網３を前記骨組体２の表面に張り付けて固定する方法としては、例えば、骨組体２の表面に金網３を張り付け、所望の位置で骨組体２を構成する支柱枠杆４および横架杆５と金網３とを、ワイヤー、紐、または固定具を用いて固定する方法が挙げられるが、特に限定されない。前記骨組体２と前記金網３とを固定する箇所についても特に限定はない。
【００４１】
前記金網３の端部は、図１に示すように、骨組体２から地盤Ｇ表面上にまで延ばして設置することが好ましい。このように地盤Ｇ表面上にも金網３をかけておくことで、イノシシのように掘り起しを行う害獣に対して顕著な侵入防止効果を発揮することができる。
【００４２】
また、地盤Ｇ表面付近にある前記金網３の端部は、Ｕ字型の鋼線やペグなどの固定部材を用いて、地盤Ｇの表面に固定してもよい。
【００４３】
本発明の害獣侵入防止用構造体の他の態様としては、図５に示すように、地盤Ｇ付近の前記横架杆５をワイヤー１０に替えた害獣侵入防止用構造体１ａが挙げられる。ワイヤー１０を用いた場合には、横架杆５に比べて、複雑な起伏の表面を有する地盤Ｇ上に立設された支柱枠杆４の下部どうしを固定することができる。なお、ワイヤー１０を用いる場合、前記支柱枠杆４の脚部４ａの所望の位置に貫通孔１１を設け、この貫通孔１１に前記ワイヤーを通すことが好ましい。
また、前記支柱枠杆４の脚部４ａの貫通孔１１を通したワイヤー１０は、Ｕ字型の鋼線やペグなどの固定具１２により地盤Ｇ表面に固定することで、法面や斜面などの傾斜地の地盤Ｇ表面でも害獣侵入防止用構造体１ａを安定に設置することができる。
【００４４】
なお、ワイヤー１０の両端部は、貫通孔１１付近で前記支柱枠杆４の脚部４ａと固定したり、別の固定部材を用いて地盤Ｇに固定したりすればよく、特に限定はない。
【００４５】
また、図６に示す前記害獣侵入防止用構造体１ａの骨組体２では、支柱枠杆４と横架杆５とは軸どうしが垂直に交わるように固定しているため、固定強度がより高くなる。この固定方法としては、軸中心にネジ穴１３が設けられた横架杆５を用い、支柱枠杆４にの所定の位置に設けた貫通孔１４に前記横架杆５のネジ穴１３を揃えて、その反対側からネジ１５を挿入し、回転して固定する方法が挙げられる。また、前記の固定方法を採用することで、図８に示すように、骨組体２を構成する支柱枠杆４や横架杆５の表面に隙間を空けずに金網３を張り付けることができるため、張り付け作業が行い易く、また、金網３と骨組体２との固定もより確実に行うことができる。
前記ネジ穴１３としては、市販のパイプ用インサートナットを用いればよい。
【００４６】
なお、図５〜８に示す害獣侵入防止用構造体１ａの構成は、前記の構成以外は、図１〜３に示す害獣侵入防止用構造体１と同じであればよい。
【００４７】
また、本発明の害獣侵入防止用構造体の他の態様としては、図９に示すように、前記骨組体２を構成する前記金網３上に配される柵体１６をさらに組み合わせた害獣侵入防止用構造体１ｂが挙げられる。害獣侵入防止用構造体１ｂは、設置する面積が小さくした場合に使用される小型のサイズの構造体を示す一例であり、前記柵体１６を組み合わせて害獣侵入防止用構造体１ｂの設置高さを補うことで、害獣侵入防止用構造体１を害獣が跳躍して乗り越えることを防止することができる。
【００４８】
前記柵体１６は、平面状の柵部１７から構成され、前記金網３上で、前記横架杆５に対して平行に立設されている。
前記柵部１７としては、例えば、図９に示すように、害獣侵入防止用構造体１ｂの骨組体２を構成する支柱枠杆４の中央付近に支柱１８を地盤Ｇ上に立設し、金網３から上方向に突き出ている支柱１８どうしの間に金網や樹脂製網を設置することが挙げられる。また、図９に示すように、前記支柱１８の上端部どうしを別の支柱で固定して支柱の強度を高めるようにしてもよい。
【００４９】
前記柵部１７の下方端部は、図９に示すように、金網３と接触していてもよいし、隙間を設けてもよい。
前記柵部１１を構成する金網や樹脂製網の大きさ等については特に限定はない。
【００５０】
なお、図９に示す害獣侵入防止用構造体１ｂの構成は、前記の構成以外は、図５〜８に示す害獣侵入防止用構造体１ａと同じであればよい。
【００５１】
また、本発明の害獣侵入防止用構造体の他の態様としては、図１０に示すように、前記金網３上に忍び返し１９を設けた害獣侵入防止用構造体１ｃが挙げられる。害獣侵入防止用構造体１ｃは、前記害獣侵入防止用構造体１ｂと同様に設置する面積を小さくした場合に使用される小型のサイズの構造体を示す一例であり、前記柵体１６のかわりに忍び返し１９を組み合わせることで、害獣侵入防止用構造体１ｂの設置高さを補い、害獣侵入防止用構造体１ｃを害獣が跳躍して乗り越えることを防止することができる。
【００５２】
前記忍び返し１９は、前記支柱１８の上端部どうしを接続する軸部材２０の軸に取り付けられていればよい。前記忍び返し１９は、前記軸部材２０に固定されていても、軸部材２０の軸を中心として回転可能に取り付けられていてもよく、特に限定はない。
【００５３】
前記忍び返し１９の形状としては、図１０に示すように、所定の長さの線材の一方端を前記軸部材２０に固定して、前記線材の他方端が前記線材の軸方向に放射線状に配置されている形状などが挙げられるが、特に限定はない。
【００５４】
なお、図１０に示す害獣侵入防止用構造体１ｃの構成は、前記の構成以外は、図５〜８に示す害獣侵入防止用構造体１ａと同じであればよい。
【００５５】
また、本発明の害獣侵入防止用構造体の他の態様としては、図１１に示すように、前記支柱枠杆４の上部に接続された横架杆５に忍び返し１９を設けた害獣侵入防止用構造体１ｄが挙げられる。害獣侵入防止用構造体１ｄでは、支柱枠杆４よりも上部に忍び返し１９の端部が出ていることで、害獣侵入防止用構造体１ｄの設置高さを補い、害獣侵入防止用構造体１ｄを害獣が跳躍して乗り越えることを防止することができる。
【００５６】
前記忍び返し１９は、前記横架杆５に固定されていても、横架杆５の軸を中心として回転可能に取り付けられていてもよく、特に限定はない。
【００５７】
前記忍び返し１９の形状としては、図１１に示すように、所定の長さの線材の一方端を前記横架杆５に固定して、前記線材の他方端が前記横架杆５の軸方向に放射線状に配置されている形状などが挙げられるが、特に限定はない。
【００５８】
また、前記忍び返し１９を回転可能にするためには、図１１に示すように、支柱枠杆４の上部に金網３を張り付けず、前記忍び返し１９が回転しても金網３に接触しないだけの空間を設けておけばよい。
【００５９】
なお、図１１に示す害獣侵入防止用構造体１ｄの構成は、前記の構成以外は、図５〜８に示す害獣侵入防止用構造体１ａと同じであればよい。
【００６０】
また、本発明の害獣侵入防止用構造体には、メンテナンスを行うためにヒトが外側から内部に入れるための出入口を設けてもよい。例えば、図１２に示すように、害獣侵入防止用構造体１ｅでは、害獣がいる外側（図中、左側）にある支柱枠杆４どうしの間の金網３を取り除き、扉２１ａを設けることが挙げられる。前記扉２１ａは、外開きになるように構成しておくことが好ましい。この場合、害獣が扉２１ａに接触しても開かないのに対して、ヒトが入る場合には、前記扉２１ａを外側に開くことで、害獣侵入防止用構造体１ｅの内部に入ることができる。
【００６１】
また、図１２に示すように、害獣侵入防止用構造体１ｅの内側に入るための出入口として扉２１ｂを設けてもよい。前記扉２１ｂは、内開きになるように構成しておくことが好ましい。この場合、ヒトが入る場合には、前記扉２１ｂを内側に開くことで、害獣侵入防止用構造体１ｅから害獣の侵入を防止している内側の土地に入ることができる。
【００６２】
以上のような構成を有する本発明の害獣侵入防止用構造体は、野生の害獣の侵入を防止することができる。本発明において害獣としては、特に限定はないが、イタチ、キツネ、アライグマのような小型の野生動物だけでなく、シカまたはイノシシのように大型の野生動物であってもその侵入を防ぐことが可能である。
【００６３】
本発明の害獣侵入防止用構造体は、害獣の侵入を防止する土地、例えば、田畑、山林、法面、斜面などの周囲に設置することで、害獣侵入を防止することができる。
前記設置手段としては、例えば、高速道路の法面、一般道や里道の側面にある斜面などのように害獣の侵入を防止する目的の土地に人が入る必要がない場合には、前記土地の全周囲に本発明の害獣侵入防止用構造体を設置すればよい。
また、田畑、山林などのように、害獣の侵入を防止する土地に人が入る必要がある場合、前記土地の周囲に本発明の害獣侵入防止用構造体を設置しながら、周囲の一部を空けておき、その部分に出入口を設ければよい。前記出入口の構造としては、特に限定はない。
【００６４】
また、前記害獣侵入防止用構造体の内部に害獣の侵入を防止できる忌避植物を植生してもよい。
前記忌避植物としては、サンザシ属、ミカン属、バラ、イラクサなどの棘のある植物が挙げられる。また、トウガラシ、ハーブのように独特の臭いを有する植物を植生することよって害獣の接近を抑えてもよい。また、シカ、イノシシなどのエサになり難い針葉樹でもよい。
【００６５】
高さが低い忌避植物を植生した場合、害獣侵入防止用構造体の内部で植生するだけで、忌避植物が生長すれば忌避効果が発揮される。
また、例えば、図５に示す害獣侵入防止用構造体１ａの内部に高木となる忌避植物２２を植生する場合、支柱枠杆４どうしの間に忌避植物２２の苗木を植生し、前記忌避植物２２の生長にあわせて支柱枠杆４の上部の金網３を取り除くことで、支柱枠杆４の上部の空間から上方向に前記忌避植物２２が伸長しても前記害獣侵入防止用構造体１ａが破損されず、しかも前記忌避植物２２による忌避効果も発揮することができる。
【実施例】
【００６６】
平成２６年５月に、下地処理を施した広島県の備北南部地区２−１工区の法面において、縦５．２ｍ、横４．２ｍの土地の全周囲に図１に示す害獣侵入防止用構造体１を設置した。まず、枠幅１ｍの支柱枠杆４を地盤表面に設置高さが１ｍとなるように立設し、２つの支柱枠杆４どうしを横架杆５で固定して、図２に示す骨組体２を作製した。その後、骨組体２の表面に金網３を張り付けて、骨組体２を構成する支柱枠杆４および横架杆５と、金網３とを複数個所で固定して害獣侵入防止用構造体１を図１４に示すように設置した。
【００６７】
なお、前記下地処理としては、予め生えているバミューダグラスなどの植物を刈り取り、同時にシカの踏み荒らしによる基盤の浮いた部分を剥ぎ取り、そのうえで、十分な散水をして、種子の散布を行った。前記種子配合についてはトールフェスクを含むシカの好む種子を配合とした。
【００６８】
また、前記害獣侵入防止用構造体１の構成は以下のとおりとした。
金網２（亜鉛メッキ鉄線製、φ２．３、網目１００×１００ｍｍ）
支柱枠杆４（一般構造用炭素鋼鋼管製、直径約２ｃｍのパイプ、枠幅１ｍ）
脚部４ａの長さ約０．６ｍ，支柱枠杆の上部４ｂの形状：略山形形状
横架杆５（一般構造用炭素鋼鋼管製、直径約２ｃｍのパイプ）
脚部４ａに固定されている横架杆５と地盤表面との高さを８〜２０ｃｍになるように調整した。
補強杆９（一般構造用炭素鋼鋼管製、直径約２ｃｍのパイプ）
【００６９】
害獣侵入防止用構造体１を設置してから約２か月後、設置現場を観察したところ、図１５に示すように、害獣侵入防止用構造体１の外側周囲にある地盤表面の草は全てシカなどの害獣によって食い荒らされて地面が露出していたのに対し、害獣侵入防止用構造体１で囲まれた土地には害獣は侵入した形跡がなく、地盤表面の草は順調に生育していた。また、害獣侵入防止用構造体１には破損個所はなかった。
なお、設置から観察までの間、設置現場において除草などの作業や、害獣駆除作業のように人が接近する作業は全く行わなかった。
以上のことから、本発明の害獣侵入防止用構造体１は、傾斜のある法面でも設置することができ、強度も強く、かつ頻繁に見回りなどしなくとも、長期間にわたって害獣の侵入を防止する効果に優れることがわかる。
【符号の説明】
【００７０】
１、１ａ、１ｂ、１ｃ、１ｄ、１ｅ  害獣侵入防止用構造体
２  骨組体
３  金網
４、４’、４’’  支柱枠杆
４ａ  支柱枠杆の脚部
４ｂ  支柱枠杆の上部
５  横架杆
６  調節部
７  孔
８  固定具
９  補強杆
１０  ワイヤー
１１  貫通孔
１２  固定具
１３  ネジ穴
１４  貫通孔
１５  ネジ
１６  柵体
１７  柵部
１８  支柱
１９  忍び返し
２０  軸部材
２１ａ、２１ｂ  扉
２２  忌避植物
【図１】
0006507584.tif 000002
【図２】
0006507584.tif 000003
【図３】
0006507584.tif 000004
【図４】
0006507584.tif 000005
【図５】
0006507584.tif 000006
【図６】
0006507584.tif 000007
【図７】
0006507584.tif 000008
【図８】
0006507584.tif 000009
【図９】
0006507584.tif 000010
【図１０】
0006507584.tif 000011
【図１１】
0006507584.tif 000012
【図１２】
0006507584.tif 000013
【図１３】
0006507584.tif 000014
【図１４】
0006507584.tif 000015
【図１５】
0006507584.tif 000016